(57)【要約】
【課題】扉を開けて網戸を閉めた状態で施錠することができる網戸錠装置を提供することが本考案の課題である。
【解決手段】建物開口の一方側に固定桟１を、他方側に受桟２をそれぞれ固定し、固定桟１と可動桟３との間に網７を取り付け、固定桟１と可動桟３の中間には、中桟６が内蔵されている巻きばね（図示せず）で網７を巻き取る方向に付勢されている。受桟２には、中に係脱体９を上下動可能に設け、この係脱体９の室内外面に操作体１０・１０を係脱体９と一体的に設けてある。また係脱体９は押上げばね１１によって上方に付勢されている。可動桟３には、係止体８が固定されており、係脱体９に当接して押し下げるようになっている。室内面の受桟２には、操作体１０の下にロック具１２を設けてある。ロック具１２は、断面略コ字状の本体１３に阻止片１４を上下回動可能に取り付けてある。
【選択図】図２
0003101327.tif 000002
【実用新案登録請求の範囲】
【請求項１】
網戸に設けられる網戸錠装置であって、網戸は、建物開口の一方側に固定桟を、他方側に受桟をそれぞれ固定し、固定桟と可動桟との間に網を取り付け、可動桟は、固定桟側に移動する方向に付勢されていると共に、受桟側で係止されて建物開口を閉鎖できるように構成され、可動桟と受桟の一方には係止体を設け、可動桟と受桟の他方には、係脱体を摺動又は回動可能に設けると共に係脱体を摺動又は回動して開放操作する操作体を設けて成り、操作体の開放操作により係脱体を係止体から外すと、付勢されている可動桟が固定桟側に移動して建物開口が開放されるよう構成され、操作体の開放操作を阻止するロック具を操作体の近傍に設け、ロック具は、本体に阻止片を移動可能に設けて成り、阻止片が操作体の摺動又は回動を阻止する位置と阻止しない位置に移動可能であることを特徴とする網戸錠装置。
【考案の詳細な説明】
【技術分野】
【０００１】
本考案は、開放方向に付勢されている網戸を施錠することができる網戸錠装置に関するものである。
【背景技術】
【０００２】
従来より、実願昭５８−５１５４３号（実開昭５９−１５７０６５号）考案のように、遮蔽体（網）を巻取ることによって可動桟が開放方向に付勢されている遮蔽機構（網戸）において、可動桟に設けた係止体が受枠に設けた受止片に係止されて、遮蔽機構（網戸）が閉鎖され、可動桟に設けたレバーを下方に回動して係止体を受止片から外すと、遮蔽体（網）が巻取られ遮蔽機構（網戸）が開放される開口部遮蔽機構における仮錠装置は提案されている。
【特許文献１】実願昭５８−５１５４３号（実開昭５９−１５７０６５号）のマイクロフィルム
【考案の開示】
【考案が解決しようとする課題】
【０００３】
上記従来例においては、網戸を閉めて通風・換気をする場合、単なる仮錠装置なので、室外からでもレバーを下方に回動すれば、網が巻取られ網戸を開放されてしまうものであって容易に他人の侵入を許し防犯上大変危険であるという問題を有していた。本考案は、この問題を解決すべく考案したもので、網戸を閉めた状態で、施錠することができる防犯性を有する網戸錠装置を提供することが本考案の課題である。
【課題を解決するための手段】
【０００４】
本考案は、上記の課題を解決するために、網戸に設けられる網戸錠装置であって、網戸は、建物開口の一方側に固定桟を、他方側に受桟をそれぞれ固定し、固定桟と可動桟との間に網を取り付け、可動桟は、固定桟側に移動する方向に付勢されていると共に、受桟側で係止されて建物開口を閉鎖できるように構成され、可動桟と受桟の一方には係止体を設け、可動桟と受桟の他方には、係脱体を摺動又は回動可能に設けると共に係脱体を摺動又は回動して開放操作する操作体を設けて成り、操作体の開放操作により係脱体を係止体から外すと、付勢されている可動桟が固定桟側に移動して建物開口が開放されるよう構成され、操作体の開放操作を阻止するロック具を操作体の近傍に設け、ロック具は、本体に阻止片を移動可能に設けて成り、阻止片が操作体の摺動又は回動を阻止する位置と阻止しない位置に移動可能であるようにして成るものである。
【考案の効果】
【０００５】
本考案によれば、簡単な構造かつ簡単な操作で、開放方向に付勢されている網戸を施解錠することができ、防犯性を有する網戸錠装置を提供することができるという効果がある。
【実施例１】
【０００６】
本実施例の網戸Ｓは、中央の中桟６で網７を巻き取る巻取式の網戸である。詳しくは、建物開口の一方側に固定桟１を、他方側に受桟２をそれぞれ固定し、固定桟１と可動桟３との間に網７を取り付け、固定桟１と可動桟３の中間には、内蔵されている巻きばね（図示せず）で中桟６が網７を巻き取る方向に付勢されている。
【０００７】
中桟６が網７を巻き取ると、可動桟３が固定桟１側に移動するようになっており、つまり、可動桟３が固定桟１側に移動する方向に付勢されていることになる。また、建物開口の上下には上桟４と下桟５が可動桟３と中桟６を案内するように設けられている。
【０００８】
受桟２には、中に係脱体９を上下動可能に設け、この係脱体９の室内外面に位置するように操作体１０・１０を係脱体９と一体的に設けてある。また係脱体９は押上げばね１１によって上方に付勢されている。可動桟３には、係止体８が固定されており、係脱体９に当接して押し下げるようになっている。この係止体８は上下対称となっていて、上下を間違って取り付けることがないよう配慮されている。
【０００９】
室内面の受桟２には、操作体１０の下にロック具１２を設けてある。本実施例では裏面の粘着テープで貼着してある。ロック具１２は、断面略コ字状の本体１３に阻止片１４を上下回動可能に取り付けてある。図示しないが、阻止片１４の外側面と本体１３の内側面の互いに接触する面にはそれぞれ凹凸をつける等して、阻止片１４が上方あるいは下方に回動した状態で保持されるようにする。なお、阻止片１４は、本体１３に上下摺動可能に取り付け、上方あるいは下方に摺動した状態で摺動できないように保持されるようにしてもよい。
【００１０】
次に動作について説明する。開放状態から可動桟３を、中桟６内の巻きばね（図示せず）の力に抗して受桟２まで移動させると、係止体８が係脱体９に当接してその斜面により係脱体９が押上げばね１１の力に抗して下動し、押上げばね１１の力で再び係脱体９が押し上げられ係止体８に係止される。
【００１１】
この状態では、網戸Ｓは閉鎖されているが、室内はもちろん室外からも操作体１０を押し下げると一体の係脱体９も下動し、可動桟３の係止体８が外れ、中桟６の巻きばね（図示せず）の力で網７が巻き取られ網戸Ｓは開放される。なお本実施例では、操作体１０を押し下げると網戸Ｓが開放されるようになっているが、操作体１０を押し上げる、あるいは回動すると網戸Ｓが開放されるようになっていてもよい。
【００１２】
そして係止体８が係脱体９に係止されている状態（網戸Ｓの閉鎖状態）で、室内側のロック具１２の阻止片１４を上方に回動すると施錠状態となり、網戸Ｓを開放することができなくなる。つまり、上方に回動された阻止片１４が操作体１０の押し下げを阻止し、係脱体９に係止されている係止体８が外れず、網戸Ｓが開放不可能な状態となる。
【図面の簡単な説明】
【００１３】
【図１】網戸の全体図である。
【図２】係止体が係脱体に当接する前の状態の要部の分解斜視図である。
【図３】係止体が係脱体に当接して係脱体が下がっている状態の要部の分解斜視図である。
【図４】係止体が係脱体に係止されてロック具が施錠されている状態の要部の分解斜視図である。
【符号の説明】
【００１４】
Ｓ    網戸
１    固定桟
２    受桟
３    可動桟
７    網
８    係止体
９    係脱体
１０    操作体
１２    ロック具
１３    本体
１４    阻止片
【図１】
0003101327.tif 000003
【図２】
0003101327.tif 000004
【図３】
0003101327.tif 000005
【図４】
0003101327.tif 000006